(57)【要約】【課題】移動ロープを使用することなく構築物の作業位置を容易に移動でき、しかも墜落防止を行うことができる高所作業用補助ロープを提供することである。【解決手段】構築物の部材に回し掛けされるロープ本体３１の一方端には、作業員の安全帯に掛止されたハンドロープの端部を掛止するための取付リング３２が取り付けられ、ロープ本体３１の他方端には、ロープ本体３１が構築物の部材に回し掛けされた状態のときに取付リング３２に掛止される掛止具３３が取り付けられる。【選択図】  図１
2011142952.tif 000002
【特許請求の範囲】
【請求項１】
構築物の部材に回し掛けされるロープ本体と、
前記ロープ本体の一方端に取り付けられ、作業員の安全帯に掛止されたハンドロープの端部を掛止するための取付リングと、
前記ロープ本体の他方端に取り付けられ、前記ロープ本体が前記構築物の部材に回し掛けされた状態のときに前記取付リングに掛止される掛止具とを備えたことを特徴とする高所作業用補助ロープ。
【請求項２】
前記ロープ本体に保護用カバーを被せたことを特徴とする請求項１記載の高所作業用補助ロープ。
【請求項３】
請求項１または２の高所作業用補助ロープの前記ロープ本体を構築物の部材に回し掛けし、
前記高所作業用補助ロープの取付リングにハンドロープの端部と前記高所作業用補助ロープの掛止具とを掛止し、
前記ロープ本体を前記構築物の部材に摺動して移動させて高所作業位置を移動することを特徴とする高所作業位置移動方法。
【請求項４】
前記高所作業用補助ロープが移動できない位置になったときは、前記高所作業用補助ロープを移動先の新たな構築物の部材に掛け替えることを特徴とする請求項３記載の高所作業位置移動方法。
【請求項５】
前記ロープ本体を複数回前記構築物の部材に掛け回すことを特徴とする請求項３または４記載の高所作業位置移動方法。
【発明の詳細な説明】
【技術分野】
【０００１】
本発明は、作業者が高所で移動しながら作業する際に、腰部に装着する安全帯に加えて墜落防止を行う高所作業用補助ロープ及び高所作業位置移動方法に関する。
【背景技術】
【０００２】
例えば、送電線鉄塔や長大橋等の構築物の高所で作業をする際には、作業者は腰部に安全帯を装着して、安全帯の安全帯ロープを構築物の部材に掛止し、作業者は構築物の部材に繋止された状態で作業を行う。
【０００３】
また、作業員が構築物を昇降する際にその途中に障害物がある場合には、作業者を繋止させていた安全帯ロープが障害物と干渉してそのままでは昇降できないことから、安全帯ロープを掛止解除して移動方向の構築物の部材に掛け直すことになる。
【０００４】
この安全帯ロープの掛け直し作業においては、作業者と構築物の部材との繋止状態が一瞬解除されて墜落の危険を生じることから、安全帯ロープとは別に墜落防止のためのハンドロープを用意する。図９はハンドロープの外観を示す写真図である。ハンドロープ１１は、ロープ１２の一方端に掛止部１３ａを取り付け、他方端に緩衝体１４を介して掛止部１３ｂを取り付けて構成される。そして、ハンドロープ１１の一方端の掛止部１３ａを構築物の部材（ステップボルト）に掛止し、他方端の掛止部１３ｂを作業員の安全帯の角環に掛止して、ハンドロープ１１で作業者と構築物の部材とを繋止させる。その後に、安全帯ロープの掛止を解除して障害物を避けた上で移動先の構築物の部材に安全帯ロープを掛け直すようにしている。
【０００５】
また、構築物の横方向に移動する場合には、移動ロープを使用して安全を図るようにしている。図１０は移動ロープの外観を示す写真図である。図１０に示すように、移動ロープ１５は複数に区分されたロープ１６を有しており、図１０では、３区分された第１ロープ１６ａ、第２ロープ１６ｂ、第３ロープ１６ｃを有した場合を示している。各々の第１ロープ１６ａ、第２ロープ１６ｂ、第３ロープ１６ｃには、それぞれ第１フック１７ａ、第２フック１７ｂ、第３フック１７ｃが取り付けられ、未使用時にはリング１８に掛止されている。また、リング１８には、作業員の安全帯の角環に掛止される主フック１９が取り付けられており、主フック１９と第３ロープ１６ｃとの間には緩衝体２０が取り付けられている。
【０００６】
図１１は移動ロープの使用時の作業過程１を示す写真図、図１２は移動ロープの使用時の作業過程２を示す写真図である。図１１及び図１２では構築物が送電線の鉄塔である場合を示している。
【０００７】
図１１（ａ）に示すように、移動ロープの使用時には、まず、作業員２１は安全帯２２の角環に掛止している移動ロープ１５の第１ロープ１６ａをほどき、第１フック１７ａを構築物の部材２３に掛止する。この作業の際には、作業員２１は安全帯ロープ２４を用いて鉄塔の支柱２５に繋止している。
【０００８】
次に、作業員２１は安全帯ロープ２４を外して、図１１（ｂ）に示すように移動先の方向に進む。そして、第１ロープ１６ａの長さ分だけ移動すると、第２ロープ１６ｂをほどき、図１１（ｃ）に示すように、第２フック１７ｂを構築物の部材２３に掛止する。
【０００９】
さらに、図１２（ａ）に示すように、作業員２１は移動先の方向に進み、第２ロープ１６ｂの長さ分だけ移動する。そして、作業員は第３ロープ１６ｃをほどき、図１２（ｂ）に示すように、第３フック１７ｃを構築物の部材２３に掛止する。この状態で、作業員２１は第３ロープ１６ｃだけ移動先の方向に進む。
【００１０】
なお、作業員２１が移動先の方向に進むときは、一時的に安全帯２２の安全帯ロープ２４を外すことになるが、このときは移動ロープ１５の第１のフック１３ａ、第２のフック１３ｂ、第３のフック１３ｃが順次構築物の部材２３に掛止しているので、安全は確保される。また、作業員２１が移動先の位置で停止状態で作業を行うときは、安全帯２２の安全帯ロープ２４を必ず構築物の２３部材に掛止して作業を行うので、作業員の落下防止を図ることができる。
【００１１】
ここで、安全帯ロープの掛け直し作業を行うものとして、２個の安全帯ロープを有し一方の安全帯ロープのフックを掛けないと、他方の安全帯ロープのフックが外れないインターロック構造とし、絶えずどちらか一方のフックが結合装置に係止している状態にして、作業者のフックの掛け間違いや錯覚などの心理的ミスを排除したものがある（例えば、特許文献１参照）。
【先行技術文献】
【特許文献】
【００１２】
【特許文献１】特開平８−１４１０９７号公報
【発明の概要】
【発明が解決しようとする課題】
【００１３】
しかし、特許文献１のものでは、構築物である電柱のステップボルトに安全帯ロープを係止して電柱を昇降するものであるので、ステップボルトが設けられた構築物を昇降する場合には有効であるが、構築物が架空送電線の鉄塔や長大橋である場合に、横方向に移動するには適さない。
【００１４】
また、移動ロープ１５を使用して移動する際には、中間フックである第２フック１７ｂ、第３フック１７ｃを構築物の部材２３に掛けながら移動することになるので、移動ロープ１５の長さの範囲までしか移動できない。従って、移動ロープ１５を使用して別の作業位置へ移る際には、移動ロープ１５を回収しなければならない。そのため、中間フックである第３フック１７ｃ、第２フック１７ｂを経由して、第１フック１７ａの位置まで戻る必要がある。
【００１５】
また、移動ロープ１５を折り畳んだ状態（移動ロープ自体は未使用）で作業員が移動ロープ１５を安全帯に装着し、作業員２１が昇降する際には、移動ロープの区分わけされた数本のロープが垂れ下がり、図１３（ａ）に示すように、ステップボルト２６に絡まったり、図１３（ｂ）に示すように、ガイドレール２７のボルト２８に絡まってしまうことがある。これを避けるためには、移動ロープ１５の区分わけされた第１ロープ１６ａ、第１ロープ１６ｂ、第１ロープ１６ｃをさらに短く巻いておく必要があり、そうすると手間がかかる。また、移動ロープ１５自体の重量が重いため、作業員が移動ロープ１５を安全帯２２に装着すると腰に負担がかかる。
【００１６】
また、ハンドロープ１１は構築物のステップボルトに掛けて使用することを前提にしており、ハンドロープ１１の掛止具１３ａに垂直に荷重がかかるように使用する必要がある。そのため、構築物の部材２３に巻き付けて使用することはできないので、移動ロープ１５の代わりにハンドロープ１１を使用することはできない。
【００１７】
本発明の目的は、移動ロープを使用することなく構築物の作業位置を容易に移動でき、しかも墜落防止を行うことができる高所作業用補助ロープ及び高所作業位置移動方法を提供することである。
【課題を解決するための手段】
【００１８】
請求項１の発明に係る高所作業用補助ロープは、構築物の部材に回し掛けされるロープ本体と、前記ロープ本体の一方端に取り付けられ、作業員の安全帯に掛止されたハンドロープの端部を掛止するための取付リングと、前記ロープ本体の他方端に取り付けられ、前記ロープ本体が前記構築物の部材に回し掛けされた状態のときに前記取付リングに掛止される掛止具とを備えたことを特徴とする。
【００１９】
請求項２の発明に係る高所作業用補助ロープは、請求項１の発明において、前記ロープ本体に保護用カバーを被せたことを特徴とする。
【００２０】
請求項３の発明に係る高所作業位置移動方法は、請求項１または２の高所作業用補助ロープの前記ロープ本体を構築物の部材に回し掛けし、前記高所作業用補助ロープの取付リングにハンドロープの端部と前記高所作業用補助ロープの掛止具とを掛止し、前記ロープ本体を前記構築物の部材に摺動して移動させて高所作業位置を移動することを特徴とする。
【００２１】
請求項４の発明に係る高所作業位置移動方法は、請求項３の発明において、前記高所作業用補助ロープが移動できない位置になったときは、前記高所作業用補助ロープを移動先の新たな構築物の部材に掛け替えることを特徴とする。
【００２２】
請求項５の発明に係る高所作業位置移動方法は、請求項３または４の発明において、前記ロープ本体を複数回前記構築物の部材に掛け回すことを特徴とする。
【発明の効果】
【００２３】
本発明によれば、ロープ本体の一方端に取付リングが設けられ他方端に掛止具が設けられ、ロープ本体が構築物の部材に回し掛けされた状態のときに掛止具を取付リングに掛止し、さらに、取付リングには作業員の安全帯に掛止されたハンドロープの端部が掛止されるので、作業員の動きに沿ってロープ本体を構築物の部材に摺動して移動させることができる。従って、移動ロープを必要とせずに、容易に構築物の作業位置を移動できる。
【００２４】
また、ロープ本体に保護用カバーを被せているので、ロープ本体を構築物の部材に摺動して移動させたとしてもロープ本体に傷を付けることがない。従って、傷によるロープ本体の切断を防止でき、作業員の安全性を確保できる。
【００２５】
さらに、高所作業用補助ロープが移動できない位置になったときは、高所作業用補助ロープを移動先の新たな構築物の部材に掛け替えて移動していけるので、移動範囲の制限がなくなる。
【００２６】
また、ロープ本体を複数回にわたって構築物の部材に掛け回すことで、構築物の部材が斜め材である場合であっても摩擦力が働き、勝手に高所作業用補助ロープが移動することを防止できる。
【図面の簡単な説明】
【００２７】
【図１】本発明の実施の形態に係る高所作業用補助ロープの外観構成図。
【図２】本発明の実施の形態に係る高所作業用補助ロープの使用態様の一例を示す斜視図。
【図３】本発明の実施の形態に係る高所作業用補助ロープの使用態様の他の一例を示す斜視図。
【図４】本発明の実施の形態に係る高所作業位置移動方法の作業過程１を示す斜視図。
【図５】本発明の実施の形態に係る高所作業位置移動方法の作業過程２を示す斜視図。
【図６】本発明の実施の形態に係る高所作業位置移動方法の作業過程３を示す斜視図。
【図７】本発明の実施の形態に係る高所作業位置移動方法の作業過程４を示す斜視図。
【図８】本発明の実施の形態に係る高所作業用位置移動方法を示すフローチャート。
【図９】ハンドロープの外観を示す写真図。
【図１０】移動ロープの外観を示す写真図。
【図１１】移動ロープの使用時の作業過程１を示す写真図。
【図１２】移動ロープの使用時の作業過程２を示す写真図。
【図１３】移動ロープを安全帯に装着した作業員が構築物を昇降する際に生じる不具合を示す写真図。
【発明を実施するための形態】
【００２８】
以下、本発明の実施の形態を説明する。図１は本発明の実施の形態に係る高所作業用補助ロープ３０の外観構成図、図２は本発明の実施の形態に係る高所作業用補助ロープ３０の使用態様の一例を示す斜視図である。
【００２９】
図１に示すように、高所作業用補助ロープ３０は、ロープ本体３１の一方端に取付リング３２が取り付けられ、ロープ本体３１の他方端に掛止具３３が取り付けられて構成されている。
【００３０】
図２に示すように、ロープ本体３１は、電柱や鉄塔または橋梁などの構築物の部材２３に回し掛けされ、回し掛けされたロープ本体３１の一方端の取付リング３２に他方端の掛止具３３を掛止させて、構築物の部材２３に高所作業用補助ロープ３０を装着する。取付リング３２には、作業員の安全帯に掛止されたハンドロープ１１の掛止具１３ａが掛止される。これにより、作業員は高所作業用補助ロープ３０及びハンドロープ１１により構築物の部材２３に繋止されることになる。
【００３１】
この場合、高所作業用補助ロープ３０のロープ本体３１は構築物の部材２３に案内されて摺動可能となっており、図２の矢印Ａ方向に移動が可能である。従って、作業員は構築物の部材２３に繋止されつつ構築物の部材２３に沿って移動先に移動することができる。
【００３２】
図３は本発明の実施の形態に係る高所作業用補助ロープ３０の使用態様の他の一例を示す斜視図である。この使用態様は、図２に示した使用態様に対し、ロープ本体３１を複数回（２回）にわたって構築物の部材２３に掛け回したものである。この場合は、構築物の部材２３に対して、図２に示した使用態様の場合よりも大きな摩擦力が働く。従って、構築物の部材２３が斜め材である場合であっても、勝手に高所作業用補助ロープ３０が移動することを防止できる。
【００３３】
また、ロープ本体３１に保護用カバーを被せるようにしてもよい。保護用カバーをロープ本体３１に被せることによって、ロープ本体３１を保護できるので、ロープ本体３１を構築物の部材２３に摺動して移動させたとしてもロープ本体３１に傷を付けることがない。従って、傷によるロープ本体３１の切断を防止でき、作業員の安全性を確保できる。
【００３４】
次に、本発明の実施の形態に係る高所作業用補助ロープ３０を使用して構築物での高所作業位置を移動する場合の作業過程について説明する。図４乃至図７は、本発明の実施の形態に係る高所作業位置移動方法の作業過程を示す斜視図である。図４乃至図７では構築物が送電線の鉄塔である場合を示している。
【００３５】
図４（ａ）に示す作業位置から構築物の横方向に作業位置を移動する場合には、作業員２１は、図１に示した高所作業用補助ロープ３０を構築物の部材２３ａに、図２に示したように取り付ける。図４（ｂ）は高所作業用補助ロープ３０を構築物の部材２３ａに取り付けた場合の拡大写真図である。高所作業用補助ロープ３０は構築物の部材２３ａに回し掛けされて、取付リング３２に掛止具３３を繋止して取り付けられる。取付リング３２には作業員の安全帯２２に掛止されたハンドロープ１１の掛止具１３ａが掛止される。この状態で、作業員２１は、図４（ｃ）に示すように、高所作業用補助ロープ３０を部材２３ａに摺動させながら移動する。
【００３６】
そして、図５（ａ）に示すように、高所作業用補助ロープ３０が部材２３ａに摺動して移動できなくなる位置まで移動したときは、移動先の方向の新たな部材２３ｂに高所作業用補助ロープ３０を掛け替える。図５（ｂ）は高所作業用補助ロープ３０を移動先の新たな構築物の部材２３ｂに取り付けた場合の拡大写真図である。移動先の新たな構築物の部材２３ｂは斜め部材であることから、高所作業用補助ロープ３０のロープ本体３１を２回にわたって構築物の部材２３ｂに掛け回した場合を示している。これにより、高所作業用補助ロープ３０が勝手に移動することを防止している。この状態で、作業員２１は、図５（ｃ）に示すように、高所作業用補助ロープ３０を部材２３ｂに摺動させながら移動する。
【００３７】
図６（ａ）に示すように、高所作業用補助ロープ３０が部材２３ｂに摺動して移動できなくなる位置まで移動したときは、移動先の方向の新たな部材２３ｃに高所作業用補助ロープ３０を掛け替える。新たな部材２３ｃは上向きの斜め部材である。高所作業用補助ロープ３０を新たな部材２３ｃに掛け替えた後に、図６（ｂ）に示すように、作業員は高所作業用補助ロープ３０を部材２３ｃに摺動させながら移動する。
【００３８】
同様に、図６（ｃ）に示すように、高所作業用補助ロープ３０が部材２３ｃに摺動して移動できなくなる位置まで移動したときは、移動先の方向の新たな部材２３ｄに高所作業用補助ロープ３０を掛け替える。高所作業用補助ロープ３０を新たな部材２３ｄに掛け替えた後に、図７（ａ）に示すように、作業員は高所作業用補助ロープ３０を部材２３ｄに摺動させながら移動する。
【００３９】
そして、図７（ｂ）に示すように、高所作業用補助ロープ３０が部材２３ｄに摺動して移動できなくなる位置まで移動したとき、つまり、構築物の横方向の端部まで来たときは、移動先の方向は縦方向となるので、ハンドロープを構築物のステップボルトに掛止し、高所作業用補助ロープ３０を部材２３ｄから取り外す。そして、例えば、図７（ｃ）に示すように、構築物の上方に移動する。
【００４０】
なお、高所作業用補助ロープ３０の新たな部材２３への掛け替えの作業時には、安全帯ロープあるいはハンドロープのいずれかを部材２３に掛止し、作業員を繋止するようにする。これにより、安全が図れる。
【００４１】
次に、本発明の実施の形態に係る高所作業位置移動方法について説明する。図８は、本発明の実施の形態に係る高所作業位置移動方法を示すフローチャートである。図８では作業員が構築物の横方向に移動する場合を対象としている。作業員が上下方向に移動する場合には、ハンドロープを構築物のステップボルトに掛止しつつ移動することになる。
【００４２】
作業員が構築物の横方向に移動する場合には、まず、図１に示した高所作業用補助ロープ３０を構築物の部材に回す掛けする（Ｓ１）。そして、図２または図３に示すように、高所作業用補助ロープ３０の取付リング３２に高所作業用補助ロープ３０の掛止具３３とハンドロープ１１の端部の掛止部１３ａとを掛止する（Ｓ２）。
【００４３】
そして、作業員は、高所作業用補助ロープ３０のロープ本体３１を構築物の部材に摺動して移動させて高所作業位置を移動する（Ｓ３）。高所作業用補助ロープ３０が部材に摺動して移動できなくなる位置まで移動したときは、作業員は高所作業用補助ロープ３０を移動先の新たな構築物の部材に掛け替える（Ｓ４）。以上の動作を繰り返し、横方向の移動先がなくなったときには移動作業を終了する（Ｓ５）。
【００４４】
このように、本発明の実施の形態では、高所作業用補助ロープ３０を用意し、ハンドロープ１１と併用することにより、ハンドロープ１１を移動ロープの代わりに使用する。すなわち、高所作業用補助ロープ３０を構築物の部材に掛けてその高所作業用補助ロープ３０にハンドロープ１１を掛けるので、ハンドロープの掛止具１３ａには垂直方向の荷重がかかるため、ハンドロープ１１の掛止具１３ａが外れるということはない。また、墜落時の衝撃軽減についても、ハンドロープ１１の緩衝体１４の効果を期待できる。
【００４５】
ハンドロープ１１が掛止された高所作業用補助ロープ３０を構築物の部材に摺動して移動させるので、移動ロープ１５のように、ロープ回収時に元の位置まで戻る必要がなく、また、ロープの重量も軽減されるため作業員の腰の負担が軽減される。さらには、移動ロープ１５の場合のように、数本のロープが垂れ下がって構築物の部材への引っかかりが生じることもなく作業がし易くなる。
【符号の説明】
【００４６】
１１…ハンドロープ、１２…ロープ、１３…掛止部、１４…緩衝体、１５…移動ロープ、１６…ロープ、１７…フック、１８…リング、１９…主フック、２０…緩衝体、２１…作業員、２２…安全帯、２３…部材、２４…安全帯ロープ、２５…支柱、２６…ステップボルト、２７…ガイドレール、２８…ボルト、３０…高所作業用補助ロープ、３１…ロープ本体、３２…取付リング、３３…掛止具
【図１】
2011142952.tif 000003
【図２】
2011142952.tif 000004
【図３】
2011142952.tif 000005
【図４】
2011142952.tif 000006
【図５】
2011142952.tif 000007
【図６】
2011142952.tif 000008
【図７】
2011142952.tif 000009
【図８】
2011142952.tif 000010
【図９】
2011142952.tif 000011
【図１０】
2011142952.tif 000012
【図１１】
2011142952.tif 000013
【図１２】
2011142952.tif 000014
【図１３】
2011142952.tif 000015